(57)【要約】【課題】高周波リレーにおいて、アイソレーションを向上する。【解決手段】単に固定接点１５，１６，１７間に、それよりも長い接地端子５１，５２を設けるだけでなく、前記接地端子５１，５２を、固定接点１５，１６，１７間を結ぶ直線α１に対する直交面β１，β２での断面形状が、前記固定接点１５，１６，１７よりも幅広に形成する。したがって、固定接点１５，１６，１７間の浮遊容量を一層減少させ、アイソレーションをさらに向上することができる。【選択図】図５
2007172935.tif 000002
【特許請求の範囲】
【請求項１】
接点端子間に、その接点端子以上の長さに形成される接地端子を有して成る高周波リレーにおいて、
前記接点端子間を結ぶ直線に対する直交面での断面形状が、前記接点端子よりも接地端子が幅広に形成されることを特徴とする高周波リレー。
【請求項２】
前記幅広の接地端子は、２股に分割形成されていることを特徴とする請求項１記載の高周波リレー。
【請求項３】
前記請求項１または２記載の高周波リレーを用いることを特徴とするテレビジョンチューナ。
【発明の詳細な説明】
【技術分野】
【０００１】
本発明は、テレビジョン放送の受信信号の切換えに用いられる高周波切換え装置などに内蔵される高周波リレーおよびそれを用いるテレビジョンチューナに関する。
【背景技術】
【０００２】
前記テレビジョンチューナでは、前記高周波リレーを内蔵する高周波切換え装置が搭載される製品がある。たとえば、北米向けの製品では、地上波のテレビジョン信号とケーブルテレビの信号との切換を行うようになっている。その場合、接点端子間のアイソレーションが規格によって定められており、たとえば２１６ＭＨｚの信号で８０ｄＢ、８６４ＭＨｚの信号で５５ｄＢのアイソレーションが必要となっている。
【０００３】
そこで、特許文献１による従来技術では、図８で示すように、接点端子Ｔ１〜Ｔ３間の接地端子Ｅ１〜Ｅ４を、接点端子Ｔ１〜Ｔ３より長く形成することで、各接点端子Ｔ１〜Ｔ３の先端を介する浮遊容量を減少させ、高周波信号の漏れを低減している。
【特許文献１】特開平７−２４０１３８号公報
【発明の開示】
【発明が解決しようとする課題】
【０００４】
しかしながら、衛星放送の中間周波信号などのように、２ＧＨｚを超える信号を扱う構成もあり、さらに部品の小型化の要求によって端子ピッチが狭くなっており、上述の従来技術の対応だけでは、充分なアイソレーションを確保するのが困難になってきている。
【０００５】
本発明の目的は、アイソレーションをさらに向上することができる高周波リレーおよびそれを用いるテレビジョンチューナを提供することである。
【課題を解決するための手段】
【０００６】
本発明の高周波リレーは、接点端子間に、その接点端子以上の長さに形成される接地端子を有して成る高周波リレーにおいて、前記接点端子間を結ぶ直線に対する直交面での断面形状が、前記接点端子よりも接地端子が幅広に形成されることを特徴とする。
【０００７】
上記の構成によれば、端子ピッチを狭くという要求に答えるために、接点端子間に、その接点端子以上の長さに形成される接地端子を設けることで、接点端子の先端を介する浮遊容量を減少させ、高周波信号の漏れを低減するようにした高周波リレーにおいて、さらに前記接点端子間を結ぶ直線に対する直交面での断面形状が、前記接点端子よりも接地端子を幅広に形成する。
【０００８】
したがって、前記接点端子間の浮遊容量を一層減少させ、アイソレーションをさらに向上することができる。
【０００９】
また、本発明の高周波リレーでは、前記幅広の接地端子は、２股に分割形成されていることを特徴とする。
【００１０】
上記の構成によれば、上述のように接地端子を幅広に形成しても、従来と同様に、スポンジ状の静電マットに刺し込んで取り扱うことができる。
【００１１】
さらにまた、本発明のテレビジョンチューナは、前記の高周波リレーを用いることを特徴とする。
【００１２】
上記の構成によれば、高周波信号を扱うテレビジョンチューナにおいて、上述のようなアイソレーションをさらに向上することができる本件高周波リレーを用いることは、高周波化や小型化に好適である。
【発明の効果】
【００１３】
本発明の高周波リレーは、以上のように、端子ピッチを狭くという要求に答えるために、接点端子間に、その接点端子以上の長さに形成される接地端子を設けることで、接点端子の先端を介する浮遊容量を減少させ、高周波信号の漏れを低減するようにした高周波リレーにおいて、さらに前記接点端子間を結ぶ直線に対する直交面での断面形状が、前記接点端子よりも接地端子を幅広に形成する。
【００１４】
それゆえ、前記接点端子間の浮遊容量を一層減少させ、アイソレーションをさらに向上することができる。
【００１５】
さらにまた、本発明のテレビジョンチューナは、以上のように、前記の高周波リレーを用いる。
【００１６】
それゆえ、高周波信号を扱うテレビジョンチューナにおいて、上述のようなアイソレーションをさらに向上することができる本件高周波リレーを用いることは、高周波化や小型化に好適である。
【発明を実施するための最良の形態】
【００１７】
図１は本発明の実施の第１の形態に係る高周波リレー３の構造を示す分解斜視図である。この高周波リレー３は、大略的に、接点機構１１に、その接点機構１１を駆動する駆動機構２１が並列に配置されて構成されている。
【００１８】
前記接点機構１１は、シールドボックス１２内に可動接点１３，１４が設けられ、その可動接点１３，１４が前記駆動機構２１によって参照符号Ｘ方向に変位駆動されることで、固定接点１５，１６；１６，１７と接触／離反し、高周波信号の切換えを行う。したがって、前記可動接点１３，１４が中心導体、シールドボックス１２が外部導体とした同軸線路を構成する。前記可動接点１３，１４は、前記駆動機構２１によって変位駆動される駆動部材１８，１９にそれぞれ保持されている。前記各固定接点１５，１６，１７は、図２で拡大して示すシールドボックス１２内で電気的に絶縁されて立設され、前記可動接点１３，１４とは反対側が、ベース２０の裏面から突出して、端子Ｐ１，Ｐ２，Ｐ３となる。
【００１９】
図３に、前記接点機構１１を模式的に示す。中間の固定接点１６（端子Ｐ２）は、前記可動接点１３，１４の何れとも接触できる共通接点となる。一方、両端の固定接点１５，１７（端子Ｐ１，Ｐ３）は、それぞれ前記可動接点１３，１４とだけ接触できる個別接点となる。図３の例では、固定接点１５は駆動機構２１の非駆動時に可動接点１３が接触して固定接点１６に接続されるノーマリーオンの接点となり、固定接点１７は駆動機構２１の非駆動時に可動接点１４が離反して固定接点１６から遮断されるノーマリーオフの接点となっている。
【００２０】
前記シールドボックス１２には、図２で示すように、その長手方向の両端および中央位置で、固定接点１５，１６，１７から離反している際の可動接点１３，１４をグランドに接続し、アイソレーションを確保するための固定接点１２ａ，１２ｂ，１２ｃが設けられているとともに、前記各固定接点１５，１６，１７の端子Ｐ１，Ｐ２，Ｐ３間に、接地端子５１，５２が設けられている。また、シールドボックス１２は、上述のように可動接点１３，１４を収納する関係上、隙間無く、できるだけ大面積に形成されることが望ましいが、前記駆動部材１８，１９との干渉を避けるために、切り欠き１２ｅが形成されている。
【００２１】
前記駆動機構２１は、電磁石２２と変位部材２３とを備えて構成される。電磁石２２は、コイル２４の巻回されたボビン２５内に鉄心２６が挿通されるとともに、その鉄心２６の一方の端部２６ａと他方の端部２６ｂとの間に、継鉄２７によって磁路が形成されて構成されている。前記コイル２４の各端部は、外部から励磁電流が与えられる端子２８，２９にそれぞれ接続されている。
【００２２】
一方、前記変位部材２３は、前記駆動部材１８，１９を介して可動接点１３，１４を支持するカード３１と、前記カード３１の一端に設けられる磁石３２と、その磁石３２の両端にそれぞれ接触し、前記鉄心２６を挟み込む一対の接極子３３，３４と、前記カード３１の他端から延びる一対の平衡ばね３５，３６と、その平衡ばね３５，３６の他端を前記ベース２０に取付ける平衡ばね保持板３７とを備えて構成される。したがって、前記電磁石２２が消磁／励磁することで、カード３１は、図４（ａ）および図４（ｂ）で示すように、平衡ばね３５，３６部分が変形して前記Ｘ方向に変位し、前記可動接点１３，１４を変位駆動することができる。
【００２３】
前記ベース２０内に、前記固定接点１５，１６，１７、シールドボックス１２および電磁石２２を収納し、電磁石２２上に変位部材２３を搭載した後、本実施の形態の高周波リレー３では、樹脂筐体３８が被せられる。
【００２４】
上述のように構成される高周波リレー３において、注目すべきは、本実施の形態では、図５で示すように、前記シールドボックス１２の接地端子５１，５２は、固定接点１５，１６，１７間を結ぶ直線α１に対する直交面β１，β２での断面形状が、前記固定接点１５，１６，１７よりも幅広に形成されていることである。また、前記接地端子５１，５２は、参照符号５１ａ，５１ｂ；５２ａ，５２ｂで示すように、２股に分割形成されている。
【００２５】
このように構成することで、図６において、参照符号γ１で示す単に固定接点１５，１６，１７間に、それよりも長い接地端子５１，５２を設けた場合に比べて、前記接地端子５１，５２を、固定接点１５，１６，１７間を結ぶ直線α１に対する直交面β１，β２での断面形状が、前記固定接点１５，１６，１７よりも幅広に形成した場合、固定接点１５，１６，１７間の浮遊容量を一層減少させ、参照符号γ２で示すように、アイソレーションをさらに向上することができる。また、前記接地端子５１，５２を２股に分割形成することで、上述のように該接地端子５１，５２を幅広に形成しても、従来と同様に、スポンジ状の静電マットに刺し込んで取り扱うことができる。
【００２６】
図７は、上述のように構成される高周波リレー３を用いて構成される高周波切換え装置１の上蓋を外して示す斜視図である。この高周波切換え装置１は、金属筐体２内に前記高周波リレー３およびプリント基板４を備えるとともに、金属筐体２に高周波コネクタ５，６，７が取付けられて構成され、テレビジョンチューナに搭載されて、地上波のテレビジョン放送の信号と、ケーブルテレビの信号との切換えに用いられる。前記プリント基板４には、必要に応じて、アンプやインピーダンスマッチングのための素子などが設けられる。
【００２７】
この図７の例では、高周波コネクタ５，６はＦ型コネクタであり、高周波コネクタ７はピン型コネクタであり、高周波コネクタ５，６の中心導体は前記高周波リレー３の固定接点１５，１７（端子Ｐ１，Ｐ３）に接続され、高周波コネクタ７の中心導体は前記高周波リレー３の固定接点１６（端子Ｐ２）に接続される。したがって、前記高周波コネクタ５，６の何れか一方からの入力信号を前記高周波リレー３によって選択して高周波コネクタ７へ出力し、または高周波コネクタ７からの入力信号を前記高周波リレー３によって高周波コネクタ５，６の何れか一方へ出力する。
【００２８】
このように構成されるアイソレーションを向上することができる高周波切換え装置１をテレビジョンチューナに用いることで、高周波化および小型化に好適である。
【００２９】
なお、接地端子５１，５２の一方の幅が広く形成されるだけでも前記の効果を得ることができ、同様に参照符号５１ａ，５１ｂ；５２ａ，５２ｂで示す部分のいずれか１つのみが幅が広く形成されるだけでも、前記の効果を得ることができる。
【図面の簡単な説明】
【００３０】
【図１】本発明の実施の第１の形態に係る高周波リレーの構造を示す分解斜視図である。
【図２】図１で示す高周波リレーにおけるシールドボックスを拡大して示す斜視図である。
【図３】図１で示す高周波リレーにおける接点機構を模式的に示す図である。
【図４】図１で示す高周波リレーにおける変位部材の変位の様子を示す平面図である。
【図５】図１で示す高周波リレーにおける固定接点および接地端子の配列状態を示す底面図である。
【図６】本件発明者の実験結果によるアイソレーション特性を示すグラフである。
【図７】図１で示す高周波リレーを搭載する高周波切換え装置の上蓋を外して示す斜視図である。
【図８】従来技術のリレーの構造を説明するための側面図である。
【符号の説明】
【００３１】
１    高周波切換え装置
２    金属筐体
３    高周波リレー
４    プリント基板
５，６，７    高周波コネクタ
１１    接点機構
１２    シールドボックス
１２ａ，１２ｂ，１２ｃ    固定接点
１２ｅ  切り欠き
１３，１４    可動接点
１５，１６，１７    固定接点
１８，１９    駆動部材
２０    ベース
２１    駆動機構
２２    電磁石
２３    変位部材
２４    コイル
２５    ボビン
２６    鉄心
２７    継鉄
３１    カード
３２    磁石
３３，３４    接極子
３５，３６    平衡ばね
５１，５２    接地端子
Ｐ１，Ｐ２，Ｐ３    端子
【図１】
2007172935.tif 000003
【図２】
2007172935.tif 000004
【図３】
2007172935.tif 000005
【図４】
2007172935.tif 000006
【図５】
2007172935.tif 000007
【図６】
2007172935.tif 000008
【図７】
2007172935.tif 000009
【図８】
2007172935.tif 000010